(57)【特許請求の範囲】
【請求項１】
被験者の日常生活動作における同被験者の身体動作を示す動作信号を受信する動作センサ回路と、
前記動作信号とは異なる、被験者の日常生活動作に対する被験者の生理的反応を示す実際の生理反応信号を受信する生理センサ回路と、
近似生理反応信号を生成する信号処理回路と、を備える装置であって、
前記信号処理回路が、前記動作信号と少なくとも１つの特性パラメータを含むテンプレートとをコンボリューションして近似生理反応信号を生成し、
前記信号処理回路が、近似生理反応信号からの情報と実際の生理反応信号からの情報とを比較し、比較に基づいて少なくとも１つの特性パラメータを調整することにより少なくとも１つの特性パラメータを決定し、
前記信号処理回路が、使用者又は外部装置に対して心臓状態を示す診断を提供し、
前記信号処理回路が少なくとも１つの特性パラメータから前記診断を取得する装置。
【請求項２】
前記動作センサ回路が、加速度信号を含む動作信号を受信する加速度計を有し、前記実際の生理反応信号を受信することが、心拍、間隔信号、及び呼吸信号の少なくともいずれかを受信することを含む請求項１に記載の装置。
【請求項３】
前記信号処理回路が、近似生理反応信号と実際の生理反応信号との間の差異を減少又は最小化させるために、近似生理反応信号からの情報と実際の生理反応信号からの情報とを反復的に比較するとともに比較に基づいて少なくとも１つの特性パラメータを反復的に調整することにより、反復的に近似生理反応信号を生成することを含む請求項１又は２に記載の装置。
【請求項４】
前記信号処理回路が時間領域から周波数領域への変換回路を含み、前記テンプレートがインパルス応答テンプレートを含み、前記信号処理回路が動作信号とインパルス応答テンプレートとをコンボリューションし、同コンボリューションが、動作信号の周波数領域表現とインパルス応答テンプレートの周波数領域表現とを乗算することを含む請求項１乃至３のいずれか一項に記載の装置。
【請求項５】
前記信号処理回路が動作信号とテンプレートとをコンボリューションすることが、動作信号とインパルス応答テンプレートとをコンボリューションすることを含む請求項１乃至３のいずれか一項に記載の装置。
【請求項６】
前記信号処理回路が動作信号とテンプレートとをコンボリューションすることが、時間の指数関数を含む時間領域インパルス応答テンプレートを用いることを含み、前記少なくとも１つの特性パラメータが、指数関数のスケーリング定数及び指数関数の時定数の少なくともいずれかを含む請求項５に記載の装置。
【請求項７】
前記信号処理回路が少なくとも１つの特性パラメータを経時的にトレンド把握し、トレンド把握された特性パラメータを用いて被験者の診断を取得及び提供する請求項６に記載の装置。
【請求項８】
前記少なくとも１つの特性パラメータが時定数を含み、前記信号処理回路が、トレンド把握された時定数が経時的に増加したときに心臓状態の悪化を示す診断を提供する請求項７に記載の装置。
【請求項９】
前記少なくとも１つの特性パラメータがスケーリング定数を含み、前記信号処理回路が、トレンド把握されたスケーリング定数が経時的に減少したときに変時性不全の悪化を示す診断を提供する請求項７又は８に記載の装置。
【請求項１０】
前記少なくとも１つの特性パラメータがスケーリング定数を含み、前記信号処理回路が、トレンド把握されたスケーリング定数が経時的に増加したときに心臓状態の悪化を示す診断を提供する請求項７乃至９のいずれか一項に記載の装置。
【請求項１１】
前記生理センサ回路が、胸部インピーダンスを示す電圧信号を感知するインピーダンスセンサを有し、前記生理センサ回路が、前記胸部インピーダンスを用いて被験者の生理的反応についての情報を取得する請求項１乃至１０のいずれか一項に記載の装置。
【請求項１２】
前記生理センサ回路が、前記胸部インピーダンスを用いて呼吸、心収縮、及び胸部体液貯留の少なくともいずれかに関する情報を取得する請求項１１に記載の装置。
【請求項１３】
内在性心房信号を受信する心房感知回路を備える請求項１乃至１２のいずれか一項に記載の装置。
【請求項１４】
内在性心室信号を受信する心室感知回路を備える請求項１乃至１３のいずれか一項に記載の装置。
【請求項１５】
被験者の心臓に治療を施すための治療回路を備える請求項１乃至１４のいずれか一項に記載の装置。
【発明の詳細な説明】
【技術分野】
【０００１】
本発明は、被験者の日常生活動作における動作に対する生理的反応を用いて、被験者についての有益な診断情報等を生成する装置に関する。
【背景技術】
【０００２】
うっ血性心不全（ＣＨＦ）とは、心臓による血液循環が妨げられる疾病である。ＣＨＦは一般的な疾病であるが、障害を引き起こし、大きな犠牲をもたらす疾病である。ＣＨＦは薬剤を用いて治療することができるが、心臓再同期治療（ＣＲＴ）等を行うための植込み式の心臓機能管理装置を用いる場合もある。慢性の安定心不全患者に急性の代償不全が起こり、入院が必要となる場合もある。従って、ＣＨＦ患者等の患者の心臓の状態を監視することは、急性代償不全及び入院を防止するために効果的である。
【発明の概要】
【発明が解決しようとする課題】
【０００３】
本願の発明者は、ＣＨＦ状態等の診断における診断指標の向上の必要性に着目した。本明細書は、被験者の日常生活動作（ＡＤＬ）における動作に対する生理的反応（ＰＲＡ）を用いて、例えば被験者についての有益な診断情報を生成する方法について記載する。
【０００４】
ＣＨＦ患者においては、動作に対する生理的反応の動態が遅くなる。このことは、検査室にて実証可能である。例えば、ある患者に対して初めは低レベルの身体動作を実行させて、生理的なプロセスが経時的に適度に安定するまでその動作を維持させる。次に、例えばその患者をトレッドミル上にて運動させることにより動作レベルを急に上げると、心拍、収縮、１回拍出量、又は呼吸活動（１回換気量、呼吸速度、呼吸によりもたらされる換気量等）等の生理的反応が起こるが、ＣＨＦ患者は、この生理的反応がＣＨＦを患っていない人に比べて遅い。ＰＲＡの動態が遅いのは、ＣＨＦ患者の心臓機能が低下していることと関連する。しかし、上記のようなテストを実施するのは容易ではない。動作の変化に対する生理的反応の動態の遅延は、心臓に対する制約の深刻度とほぼ比例するとされている。動態の遅延が、息切れ、運動の制約、及び疲労等の患者の容態の一因となっている場合もある。本明細書は、患者の日常生活動作における動作及び生理的反応の両方を継続的に監視することにより、動作の変化に対する生理的プロセスの動態反応を判断するための装置及び方法に関する。後述するように、このような装置及び方法においては、インパルス応答テンプレート等のテンプレートを使用して、反応動態が判断される。
【課題を解決するための手段】
【０００５】
本発明の第１の実施例は、動作センサ回路を含む装置に関する。動作センサは、被験者の日常生活動作における同被験者の身体動作を示す動作信号を受信する。本装置は、被験者の日常生活動作における、前記動作信号とは異なる併発的な実際の生理反応信号を受信する生理センサ回路を含む。装置は、近似生理反応信号を生成する信号処理回路を備える。この生成には、少なくとも１つの特性パラメータを含むテンプレートと動作信号とをコンボリューションして近似生理反応信号を生成すること、及び近似生理反応信号からの情報と実際の生理反応信号からの情報とを比較して少なくとも１つの特性パラメータを決定することを含む。信号処理回路は、使用者又はプロセスに対して少なくとも１つの特性パラメータから情報を提供する。
【０００６】
本発明の実施例２は、動作センサ回路が、加速度信号を含む動作信号を受信する加速度計を有し、併発的な実際の生理反応信号を受信することが、心拍、間隔信号、及び呼吸信号の少なくともいずれかを受信することを含む実施例１に記載の装置に関する。
【０００７】
本発明の実施例３は、信号処理回路が近似生理反応信号を生成することが、近似生理反応信号と実際の生理反応信号との間の差異を減少又は最小化させるために、反復的に近似生理反応信号を生成することを含む実施例１又は２に記載の装置に関する。
【０００８】
本発明の実施例４は、信号処理回路が時間領域から周波数領域への変換回路を含み、信号処理回路が動作信号とテンプレートとをコンボリューションすることが、動作信号の周波数領域表現とインパルス応答テンプレートの周波数領域表現とを乗算することを含む実施例１乃至３のいずれかに記載の装置に関する。
【０００９】
本発明の実施例５は、信号処理回路が動作信号とテンプレートとをコンボリューションすることが、動作信号とインパルス応答テンプレートとをコンボリューションすることを含む実施例１乃至４のいずれかに記載の装置に関する。
【００１０】
本発明の実施例６は、信号処理回路が動作信号とテンプレートとをコンボリューションすることが、時間の指数関数を含む時間領域インパルス応答テンプレートを用いることを含み、少なくとも１つの特性パラメータが指数関数のスケーリング定数及び指数関数の時定数の少なくともいずれかを含む実施例１乃至５のいずれかに記載の装置に関する。
【００１１】
本発明の実施例７は、信号処理回路が前記少なくとも１つの特性パラメータを経時的にトレンド把握し、トレンド把握された特性パラメータを用いて被験者の診断を提供する実施例１乃至６のいずれかに記載の装置に関する。
【００１２】
本発明の実施例８は、少なくとも１つの特性パラメータが時定数を含み、信号処理回路が、トレンド把握された時定数が経時的に増加したときに心臓状態の悪化を示す診断を提供する実施例１乃至７のいずれかに記載の装置に関する。
【００１３】
本発明の実施例９は、少なくとも１つの特性パラメータがスケーリング定数を含み、信号処理回路が、トレンド把握されたスケーリング定数が経時的に減少したときに変時性不全の悪化を示す診断を提供する実施例１乃至８のいずれかに記載の装置に関する。
【００１４】
本発明の実施例１０は、少なくとも１つの特性パラメータがスケーリング定数を含み、信号処理回路が、トレンド把握されたスケーリング定数が経時的に増加したときに心臓状態の悪化を示す診断を提供する実施例１乃至９のいずれかに記載の装置に関する。
【００１５】
本発明の実施例１１は装置可読媒体に関する。実施例１１は、実施例１乃至１０のいずれとも組み合わせることができる。本装置可読媒体は、装置により実行された際に、被験者の日常生活動作における同被験者の身体動作を示す動作信号を受信することと、被験者の日常生活動作における、動作信号とは異なる併発的な実際の生理反応信号を受信することと、近似生理反応信号を生成することと、を含む命令を含む。近似生理反応信号を生成することは、動作信号と少なくとも１つの特性パラメータを含むテンプレートとをコンボリューションして近似生理反応信号を生成すること、及び近似生理反応信号からの情報と実際の生理反応信号とを比較することにより少なくとも１つの特性パラメータを決定することを含む。命令は、少なくとも１つの特性パラメータからの情報を使用者又はプロセスに提供することを含む。
【００１６】
本発明の実施例１２は、動作信号を受信することが加速度信号を受信することを含み、併発的な実際の生理反応信号を受信することが、心拍、間隔信号、及び呼吸信号の少なくともいずれかを受信することを含む実施例１乃至１１のいずれかに記載の装置可読媒体に関する。
【００１７】
本発明の実施例１３は、近似生理反応信号を生成することが、近似生理反応信号及び実際の生理反応信号の間の差異を減少又は最小化させるために近似生理反応信号を反復的に生成することを含む実施例１乃至１２のいずれかに記載の装置可読媒体に関する。
【００１８】
本発明の実施例１４は、動作信号とテンプレートとをコンボリューションすることが、動作信号の周波数領域表現とインパルス応答テンプレートの周波数領域表現とを乗算することを含む実施例１乃至１３のいずれかに記載の装置可読媒体に関する。
【００１９】
本発明の実施例１５は、動作信号とテンプレートとをコンボリューションすることが、動作信号とインパルス応答テンプレートとをコンボリューションすることを含む実施例１乃至１４のいずれかに記載の装置可読媒体に関する。
【００２０】
本発明の実施例１６は、動作信号とテンプレートとをコンボリューションすることが、時間の指数関数を含む時間領域インパルス応答テンプレートを使用することを含み、少なくとも１つの特性パラメータが、指数関数のスケーリング定数及び指数関数の時定数の少なくともいずれかを含む実施例１乃至１５のいずれかに記載の装置可読媒体に関する。
【００２１】
本発明の実施例１７は、少なくとも１つの特性パラメータを経時的にトレンド把握することと、トレンド把握された特性パラメータを用いて被験者の診断を提供することを含む実施例１乃至１６のいずれかに記載の装置可読媒体に関する。
【００２２】
本発明の実施例１８は、少なくとも１つの特性パラメータが時定数を含み、診断が、トレンド把握された時定数が経時的に増加したときに心臓状態の悪化を示す実施例１乃至１７のいずれかに記載の装置可読媒体に関する。
【００２３】
本発明の実施例１９は、少なくとも１つの特性パラメータがスケーリング定数を含み、診断が、トレンド把握されたスケーリング定数が経時的に減少した時に変時性不全の悪化を示す実施例１乃至１８のいずれかに記載の装置可読媒体に関する。
【００２４】
本発明の実施例２０は、少なくとも１つの特性パラメータがスケーリング定数を含み、トレンド把握されたスケーリング定数が経時的に増加したときに心臓状態の悪化を示す実施例１乃至１９のいずれかに記載の装置可読媒体に関する。
【００２５】
以下の記載においては図を参照するが、異なる図における類似する構成要素には同一の符号が付されている。発明の詳細な説明及び図面は必ずしも縮尺どおりではなく、例示的実施形態を示すものであり、本発明の範囲を限定するものではない。例示的実施形態は、本発明の説明のみを意図する。
【図面の簡単な説明】
【００２６】
【図１】心臓機能管理システムの各部の例、及び同システムが使用される環境を示す図。
【図２】被験者の日常生活動作（ＡＤＬ）における動作に対する生理的反応（ＰＲＡ）を、被験者についての有益な診断情報の生成等に用いる使用例を示す図。
【発明を実施するための形態】
【００２７】
図１に、心臓機能管理システム１００の各部、及びこのシステムが使用される環境の例を示す。一実施形態においては、システム１００は、体外医療器具（装着可能な医療器具等）等の外来用医療器具もしくは植込み式の心拍管理用又は心臓機能管理用装置１０２、ローカル体外インタフェース装置１０４、及び任意のリモート体外インタフェース装置１０６を含む。
【００２８】
一実施形態においては、植込み式装置１０２は、心房感知回路１０８、心房治療回路１１０、心室感知回路１１２、心室治療回路１１４、制御回路１１６、記憶回路１１８、通信回路１２０、バッテリ１２１等の電源、バッテリ状態回路１２３、患者又は他の被験者の身体動作信号を感知する動作センサ１１３、及び被験者の身体動作信号とは異なる生理的信号を感知するための生理センサ１１５を含む。
【００２９】
一実施形態においては、心房感知回路１０８が、心房間電極、又は心房の脱分極情報等の内在性心房信号を感知できる他の電極等の電極に接続される。心房治療回路１１０も、ペーシング、心臓再同期治療（ＣＲＴ）、心収縮力補助（ＣＣＭ）治療、除細動／カーディオバージョン刺激、又は他のエネルギーパルスを一方又は両方の心房に施すために、上記の電極又は他の電極に接続してもよい。
【００３０】
一実施形態においては、心室感知回路１１２が、心室間電極、又は心室の脱分極情報等の内在性心室信号を感知できる他の電極等の電極に接続される。心室治療回路１１４も、ペーシング、心臓再同期治療（ＣＲＴ）、心収縮力補助（ＣＣＭ）治療、除細動／カーディオバージョン刺激、又は他のエネルギーパルスを一方又は両方の心室に施すために、上記の電極又は他の電極に接続してもよい。
【００３１】
一実施形態においては、動作センサ１１３が、被験者の身体動作を示す加速度を感知するための、単一軸又は複数軸の加速度計を含む。動作センサ１１３は、加速度信号を処理して身体動作信号を求めるためのセンサインタフェース回路を含んでいてもよい。一実施形態においては、身体動作信号は、被験者の身体運動を示す。他の実施形態においては、動作センサ１１３が、被験者の姿勢、心音、又は加速度信号から得ることができる他の情報等の感知のような他の目的に用いられる。
【００３２】
一実施形態においては、生理センサ１１５がインピーダンスセンサや他のセンサ等の呼吸センサを含む。このようなセンサは、被験者の胸部等にテスト用エネルギーを供給し応答電圧信号の感知を行う電極を有する。この応答電圧信号は、胸部インピーダンスを示すものであり、フィルタリングすることにより、呼吸、心収縮、及び胸部体液貯留等についての情報を提供し得る。
【００３３】
感知した心臓信号からの情報取得等を行うために、制御回路１１６を心房感知回路１０８及び心室感知回路１１２に接続してもよい。制御回路１１６は、患者の身体動作レベルや身体運動レベルについての情報を受け取るために動作センサ１１３に接続してもよい。制御回路１１６は、例えば他の生理学的情報を受け取るために生理センサ１１５に接続してもよい。一実施形態においては、他の生理学的情報には心収縮信号が含まれる。心収縮信号からは、例えば、被験者の心拍、心拍間隔、及び１回排出量等についての情報を得ることができる。一実施形態においては、制御回路１１６がデジタル信号処理（ＤＳＰ）回路等の信号処理回路を含む。信号処理回路によりテンプレートパラメータを抽出することができ、後述するように、このテンプレートパラメータから診断上の指標を生成することができる。一実施形態においては、信号処理回路は、１つ又は複数の信号処理機能を実行する専用回路を含む。このような信号処理機能としては、時間領域又は周波数領域におけるコンボリューション、時間領域から周波数領域への信号変換、周波数領域から時間領域への信号変換等が含まれる。
【００３４】
一実施形態においては、制御回路１１６が心房治療回路１１０及び心室治療回路１１４に接続され、治療用パルスの適時供給を誘発する制御信号又は誘発信号を発する。一実施形態においては、ＣＣＭ治療を効果的に提供すべく、制御回路１１６が制御を行えるように構成される。例えば、１つ又は複数の他の治療（徐脈ペーシング、抗頻拍ペーシング（ＡＴＰ）、心臓再同期治療（ＣＲＴ）、心房又は心室の除細動刺激治療等）や機能（ペーシング閾値エネルギーを自動決定するための自動閾値機能、適宜な心臓ペーシングを行うためにペーシングエネルギーを自動調整する自動ペーシング機能等）と組み合わせてＣＣＭ治療を行うことができる。一実施形態においては、制御回路１１６内に専用のモジュールを設けるか、制御回路１１６が実行可能、解釈可能、又は動作可能であるコードが設定される。
【００３５】
記憶回路１１８は制御回路１１６に接続され、制御パラメータ値、生理学的データ、及び他の情報の格納等を行う。通信回路１２０は制御回路１１６に接続され、ローカル体外インタフェース装置１０４やリモート体外インタフェース装置１０６等の外部装置との高周波（ＲＦ）通信又は他の無線通信が可能となっている。
【００３６】
一実施形態においては、バッテリ１２１は、植込み式装置１０２に電力を供給するためのバッテリを１つ以上含む。一実施形態においては、バッテリ１２１が充電式であり、体外装置から経皮的に電力を受けて植込み式装置１０２に送電する。バッテリ状態回路１２３は、バッテリ１２１及び制御回路１１６のそれぞれと通信可能に接続され、例えば、バッテリ状態情報を判断する。このバッテリ状態情報には、バッテリ１２１の電力残量等が含まれる。制御回路１１６は、バッテリ状態情報に少なくとも部分的には基づいて植込み式装置１０２の動作を変更するように構成してもよい。
【００３７】
一実施形態においては、ローカル体外インタフェース装置１０４がプロセッサ１２２、及びグラフィカルユーザインタフェース（ＧＵＩ）１２４、又は情報表示や、通信回路と同様にユーザー入力の受信を行う類似装置を有し、通信又はコンピュータネットワークによりリモート体外インタフェース装置１０６と有線通信又は無線通信を行うことができるようになっている。同様に、リモート体外インタフェース装置１０６もプロセッサ１２６、及びグラフィカルユーザインタフェース（ＧＵＩ）１２８、又は情報表示や、通信回路と同様にユーザー入力の受信を行う類似装置を有し、通信又はコンピュータネットワークによりローカル体外インタフェース装置１０４と有線通信又は無線通信を行うことができるようになっている。
【００３８】
システム１００は、外来用装置又は植込み式装置１０２（例えば制御回路１１６を備えたもの）、ローカル体外インタフェース装置１０４（例えばプロセッサ１２２を備えたもの）、及びリモート体外インタフェース装置１０６（例えばプロセッサ１２６を備えたもの）に処理能力を備えているので、本明細書に記載する様々な方法をいずれの装置でも実行することができ、また、２つ以上の装置に処理を分担させることもできる。
【００３９】
被験者の日常生活動作（ＡＤＬ）中における、動作に対する生理的反応（ＰＲＡ）を用いて、例えば被験者についての有益な診断情報を生成する一実施形態２００を図２に示す。後述するように、この作業には、動作信号とコンボリューションされるインパルス応答テンプレート等のテンプレートを用いる。被験者のＡＤＬには、歩行、睡眠、座位、立位、屈み込み、及び運動等の被験者の日常的身体動作が含まれる。本発明によるシステム及び方法においては、被験者のＡＤＬから有益な診断情報を抽出することができ、被験者が決められた運動内容（心臓ストレステスト、トレッドミルテスト等）を行う必要がない。このような決められた運動内容は、診断情報の抽出を目的として行われる決められた動作であり、被験者のＡＤＬの範囲外であるとみなされる。本発明の実施形態においては、診断情報を抽出するための１つ又は複数の決められた運動内容を被験者に実行させることなく、被験者の診断情報を取得することができる。本発明の実施形態においては、決められた運動内容の実行を必要とせずに、被験者が通常の（又は不規則的な）日常動作を行なっている間に、被験者の診断情報を取得することができる。
【００４０】
被験者のＰＲＡを求めるためには、被験者のＡＤＬ中における１つ又は複数の生理的信号を監視する必要がある。生理的信号は、ＡＤＬ中及びＡＤＬ後に変化する場合がある。一実施形態においては、被験者のＡＤＬにおける被験者の身体動作の変化に伴う生理的信号の変化は、その生理的信号の変化がＡＤＬに応答するものであるのか、単にＡＤＬに付随するものであるのか関わらず、その被験者のＰＲＡであるとみなされる。
【００４１】
図２の２０２Ａにおいては、被験者の日常生活動作に対する反応（例えば動作中の反応）において得られる、実際の生理的信号情報が所定期間にわたって取得される。２０２Ｂにおいては、同じ所定期間における近似生理的信号が受信される。（近似生理的信号は、まず名目上のテンプレートパラメータセットをシード（ｓｅｅｄｉｎｇ）し、後述する反復ループの反復を一度以上行うことにより生成することができる。後述するように、この処理は例えば２１４におけるコンボリューションから開始することができる。）
【００４２】
一実施形態においては、実際の生理的信号が心拍（ＨＲ）又は間隔信号を含む。ＨＲ信号は、被験者において発生している連続な心収縮の速さに関する情報を提供するものである。一実施形態においては、実際の生理的信号が呼吸信号を含む。一実施形態においては、呼吸信号が呼吸速度信号（ＲＲ信号）又は間隔信号を含む。ＲＲ信号は被験者の連続的な呼吸の速さに関する情報を提供するものである。一実施形態においては、呼吸信号が換気量（ＭＶ）信号を含む。ＭＶ信号は、ＭＶ＝ＴＶ・ＲＲの式で表され、ＭＶは換気量、ＴＶは１回換気量（一呼吸につき排出される空気）、ＲＲは被験者がどれくらい速く呼吸しているかを示す呼吸速度である。１つ又は複数の他の生理的反応変数を用いてもよい。
【００４３】
２０４において、実際の生理反応信号と近似生理反応信号とが比較される。一実施形態においては、この工程は同じ所定期間に対応する実際の生理的信号と近似生理的信号を比較することを含む。一実施形態においては、この比較は、近似データポイントと実際データポイントの時間領域減算を実行し、差を二乗し、二乗した差を合計する。これにより、所定期間における近似生理反応信号と実際の生理反応信号との間の累積的差異を示す差の二乗和が求められる。
【００４４】
２０６において、所定期間における近似生理反応信号と実際の生理反応信号との間の差異を示す演算値が、１つ又は複数の条件と比較される。一実施形態においては、この工程には、所定の静的又は動的な最小閾値との差異量を比較することを含む。一実施形態においては、この工程には、テンプレートパラメータの様々な組み合わせをテストし、所定期間における近似生理反応信号と実際の生理反応信号との差異が最も少なくなるテンプレートパラメータの組み合わせを選択することが含まれる。一実施形態においては様々なテンプレートパラメータの組み合わせが網羅的にテストされる。一実施形態においては、数的最良適合検索ルーチン等を用いて、より省略可されて様々なテンプレートパラメータの組み合わせがテストされる。このようなテストには、滑降シンプレックス法（ｄｏｗｎｈｉｌｌ  ｓｉｍｐｌｅｘ）や、様々なテンプレートパラメータの組み合わせのスペースを効率的に横断する他の手法を用いることができる。
【００４５】
２０６において、１つ以上の条件が適合した場合や、近似生理反応信号と実際の生理反応信号との間の差異が最小値になるパラメータ組み合わせが設定された場合は、次に２０８においてテンプレートに関連する１つ以上の対応パラメータが保存される。そして、２１０において所定の時間任意にて待機した後、２０２Ａ及び２０２Ｂの処理に戻る。
【００４６】
２０６において、近似生理反応信号と実際の生理反応信号との間の差異が閾値を超えた場合、処理は２１２に進む。２１２において、例えば近似生理反応信号と実際の生理反応信号との間の差異を減少又は最小化させるように、１つ又は複数のテンプレートパラメータが調整される。
【００４７】
一実施形態においては、テンプレートがインパルス応答テンプレートを含む。一実施形態においては、インパルス応答テンプレートが１次指数モデルにより近似される。このようなインパルス応答テンプレートは時間領域においてｈ（ｔ）＝Ａ・ｅ−（ｔ／τ）により表される。ｈ（ｔ）は時間領域インパルス応答であり、Ａはスケーリング定数、τは特性時定数である。スケーリング定数Ａ及び時定数τは、１次指数インパルス応答テンプレートｈ（ｔ）のパラメータを構成する。２１２において、スケーリング定数及び時定数の両方又は一方が調整され、例えば近似生理反応信号と実際の生理反応信号との間の差異が減少又は最小化される。
【００４８】
片方又は両方のテンプレートパラメータが調整された後、２１４において、インパルス応答テンプレートが、動作センサ１１３により取得されて２１６において提供される身体動作信号とコンボリューションされ、新しい近似生理反応信号が生成される。生成された信号は、実際の生理反応信号と２０４にて比較される。この比較処理は、２０６において所定の１つ又は複数の条件に適合するか、近似生理反応信号と実際の生理反応信号との差異が最小化するまで反復される。このようにして、２０４、２０６、２１２及び２１４が反復ループを形成している。このループは、インパルス応答テンプレートの１次指数モデルが許容する程度に実際の生理反応信号に近い近似生理反応信号が取得されるか、２０６において少なくとも１つ又は複数の所定の条件に適合するまで反復される。
【００４９】
一実施形態においては、インパルス応答テンプレートと身体動作信号とのコンボリューションが、時間領域（例えばフォールドアンドシフト（ｆｏｌｄ−ａｎｄ−ｓｈｉｆｔ））信号コンボリューションオペレーションを用いて実行される。一実施形態においては、インパルス応答テンプレートと身体動作信号とのコンボリューションが、インパルス応答テンプレート及び身体動作信号のそれぞれを周波数領域に変換し、身体動作信号の周波数領域表現により周波数領域インパルス応答テンプレートの乗算を行うことによりコンボリューションを実行できるようにする。一実施形態においては、時間領域から周波数領域への変換は、制御回路１１６の信号処理回路に設けられた高速フーリエ変換（ＦＦＴ）回路を用いて行われる。
【００５０】
２０８において、保存された１つ又は複数のテンプレートパラメータ（スケーリング定数や時定数等）をすぐに破棄してテンプレートパラメータの新たな値によって上書きする必要はない。テンプレートパラメータは保存することができ（例えば記憶回路１１８の先入れ先出し型（ＦＩＦＯ）メモリバッファに保存できる）、経時的にトレンド把握され（ｔｒｅｎｄｅｄ）、被験者に関する診断情報の提供に用いられる。一実施形態においては、２１０における任意待機は、２４時間の期間であり、２０２Ａにおける実際の生理的反応情報及び２０２Ｂにおける近似生理的反応情報が、このような情報の１日期間を構成し、２０８で保存されたテンプレートパラメータが日次値を表す。このような日次値は、数週間、数ヶ月、又は数年等のより長い期間にわたって保存及びトレンド把握することができる。２１０での任意待機は、短期間であっても長期間であってもよい。例えば、図２のように、数分から数時間の複数期間を設定することができる。パラメータを保存し、まとめて平均化することもできるし（日次平均を取得するため、又は中心的傾向の表示値を演算するために）、個別にトレンド把握することもできる。
【００５１】
表１に、１つ又は複数のトレンド把握されたテンプレートパラメータ（Ａ，ｘ等）から取得可能であると思われる診断情報を示す。
【００５２】
【表１】
0005588020.tif 000002
一実施形態においては、１つ又は複数のインパルス応答テンプレートパラメータ、１つ又は複数のトレンド把握されたインパルス応答テンプレートパラメータ、又は、１つ又は複数のインパルス応答テンプレートパラメータから得られた診断情報や他の情報が、外来用医療器具又は植込み式医療器具から通信される。一実施形態においては、このような情報が通信回路１２０を介して植込み式心臓機能管理用装置１０２からローカル体外インタフェース装置１０４又はリモート体外インタフェース装置１０６へ通信される。通信された情報は、診断情報として、テキスト表示（英数字等）、又は非テキスト表示（非英数字等）により使用者に対して表示することができる。
【００５３】
補注
上記の詳細な説明は、添付の図面を参照する。図面は詳細の説明の一部である。図面は本発明が実施される特定の実施形態を例示的に示すものである。このような実施形態は、「実施例」とも称される。このような実施例は、図示又は説明した要素以外の要素も含む場合がある。しかし、本願の発明者は、図示又は説明された要素のみを含む実施例も想定している。さらに、本願の発明者は、本明細書において図示又は説明する特定の実施例（もしくはその実施例の１つ又は複数の様態）又は他の実施例（もしくはその実施例の１つ又は複数の様態）に対して、図示又は説明された要素（もしくはその様態）を組み合わせ又は置換して用いた実施例も想定している。
【００５４】
本明細書で言及されている全ての文献は、言及することによりその内容のすべてが本明細書で開示されることとする。本明細書で言及されている全ての係属中の出願も、言及することによりその内容のすべてが本明細書で開示されることとする。
【００５５】
本明細書において、「１つの」なる表現は１つ又は複数である場合を含む。さらに、「又は」なる表現は包括的に使用されており、「Ａ又はＢ」は、「ＢではなくＡ」、「ＡではなくＢ」、及び「Ａ及びＢ」を含む。また、「含む」及び「備える」なる表現は、非限定的に用いられており、このような表現の前に記載される要素以外の要素を含むシステム、装置、及びプロセス等も本願の特許請求の範囲であるとみなされる。
【００５６】
本明細書に記載する方法の実施例は、少なくともその一部を装置又はコンピュータにより実行することができる。いくつかの実施例は、コンピュータ可読媒体又は装置可読媒体を含み、このような媒体においては、前述した実施例の方法を電子機器が実行し得る命令がコード化されている。このような方法の実施は、マイクロコード、アセンブリ言語コード、高レベル言語コード等のコードを含む。このようなコードは、様々な方法を実行するためのコンピュータ可読命令を含む。コードは、コンピュータプログラム製品の一部であってもよい。さらに、コードは、実行時等において、揮発性又は不揮発性の物理的コンピュータ可読媒体に格納してもよい。このようなコンピュータ可読媒体の例としては、ハードディスク、取外し可能な磁気記憶媒体、取外し可能な光学ディスク（コンパクトディスク、デジタルビデオディスク等）、磁気カセット、メモリカード、メモリスティック、ＲＡＭ、及びＲＯＭ等が含まれる。
【００５７】
上記の説明は例示的なものであり、限定的なものではない。例えば、前述した実施例（または１つ又は複数の様態）は組み合わせて用いることができる。上記の説明から当業者等により他の実施例が実施し得る。要約は、技術的開示内容の把握を容易にするものであり、本発明の範囲を限定するものではない。本発明の実施形態の以上の詳細な説明において、開示を合理化する目的で種々の特徴を単一の実施形態に一緒にグループ編成した。この開示方法は、本発明の請求される実施形態が、各請求項に明確に述べられた以上の特徴を要求するという意図を反映するものとして解釈すべきではない。むしろ、特許請求の範囲に反映されるように、本発明の要旨は、開示された単一の実施形態の、全部より少数の特徴に存在する。従って、特許請求の範囲は、本発明の実施形態の詳細な説明に組み込まれ、各請求項は、個別の実子形態として自立している。
【図１】
0005588020.tif 000003
【図２】
0005588020.tif 000004